(57)【要約】【課題】デザイン性や使い勝手に優れ、例えば、液体の注入や持ち運びの際において安全に取り扱うことができる湯たんぽの提供を目的とする。【解決手段】上部に備えた注入口部２１から液体を注入し、内部の液体封入部２４に液体を封入する本体部２と、該本体部２の上部に着脱可能に備え、前記注入口部２１を略囲繞するカバー体３とで構成した湯たんぽ１であって、上記カバー体３と上記本体部２とを、互いに嵌合する嵌合構造２ａで構成し、上記本体部２に、握持部２２を備えた湯たんぽ１。【選択図】図１
2010017371.tif 000002
【特許請求の範囲】
【請求項１】
上部に備えた注入口部から液体を注入し、内部の液体封入部に液体を封入する本体部と、
該本体部の上部に着脱可能に備え、前記注入口部を略囲繞するカバー体とで構成した湯たんぽであって、
上記カバー体と上記本体部とを、
互いに嵌合する嵌合構造で構成し、
上記本体部に、握持部を備えた
湯たんぽ。
【請求項２】
上記カバー体を、
該カバー体の内部に形成され、液体の注ぎ込みを許容する液受け部と、
該液受け部の内部と外側とを連通可能に、上記液受け部に対して外側向きに筒形状に突出する筒状突出部とで漏斗構造で構成し、
上記筒状突出部を、
上記注入口部に挿着可能に形成するとともに、上記カバー体を上記本体部に装着したとき、上方向きで形成した
請求項１に記載の湯たんぽ。
【請求項３】
上記本体部を、
幅方向、及び、奥行き方向のうち少なくとも一方の方向の長さより、高さ方向の長さが長い縦長形状で形成した
請求項２に記載の湯たんぽ。
【請求項４】
上記カバー体、又は／及び、上記本体部に、
上記筒状突出部を上記注入口部に挿着したときの上記カバー体の上記本体部に対するがたつきを防止するがたつき防止手段を備えた
請求項２、又は、３に記載の湯たんぽ。
【請求項５】
上記がたつき防止手段を、
上記筒状突出部と上記注入口部との対向部分の少なくとも一方に備え、対向する側に係合する注入口内側係合手段で形成した
請求項４に記載の湯たんぽ。
【請求項６】
上記カバー体の上部に、上記注入口部を挿着可能に開口する被挿着部を形成し、上記筒状突出部を、上記被挿着部の内部から上方へ突出させた突出形状で形成し、
上記がたつき防止手段を、
上記被挿着許容部と上記注入口部との対向部分の少なくとも一方に備え、対向する側に係合する注入口外側係合手段で形成した
請求項４、又は、５に記載の湯たんぽ。
【請求項７】
上記カバー体と上記本体部とを互いに嵌合状態に保持するカバー体保持手段を備え、
上記カバー体保持手段を、
上記注入口部を閉塞する注入口閉塞手段と、該注入口閉塞手段とともに上記カバー体を締結持する締結手段とで構成し、
上記注入口閉塞手段を、
上記注入口部に対して着脱可能に形成したキャップ本体部と、
該キャップ本体部に対して上方へ突出して上記締結手段との締結を許容する締結許容部とで構成した
請求項１から６のいずれかに記載の湯たんぽ。
【請求項８】
上記カバー体を、
上記筒状突出部の外周側に備えた第一カバー構成体と、上記液受け部と上記筒状突出部とを備えて形成した第二カバー構成体とで別部材に構成するとともに、
上記第一カバー構成体と上記第二カバー構成体とが相互に嵌合する嵌合構造で構成した
請求項２から７のいずれかに記載の湯たんぽ。
【請求項９】
上記握持部を、上記本体部に対して着脱自在に構成した
請求項１から８のいずれかに記載の湯たんぽ。
【発明の詳細な説明】
【技術分野】
【０００１】
この発明は、本体内部に高温或いは低温の液体を封入し、温め効果、或いは冷却効果を得ることのできる湯たんぽに関する。
【背景技術】
【０００２】
従来から、上面に備えた注入口部から液体を注入し、内部の液体封入部に液体を封入して使用する湯たんぽが提案されており、特許文献１に開示の湯たんぽもその１つである。このような湯たんぽは、上部に備えた注入口部から液体を注入し、内部の液体封入部に液体を封入する本体部を備えて構成し、上記液体封入部に例えば高温の湯を封入すれば温め効果を得ることができ、低温の水を封入すれば冷却効果を得ることができる。  
湯たんぽは、環境に優しいなど様々な利点を有する一方で、特許文献１に開示の湯たんぽのように、注入口部が本体部から突出した形態のものが多い。このような形態の湯たんぽは、本体部から突出した注入口部付近のデザイン性に劣り、若者や女性の間で湯たんぽが普及する妨げとなっていた。
【０００３】
さらに、突出した注入口部が使用時に邪魔になり、使い勝手の面でも難点があった。
【特許文献１】実用新案登録第３０６４６１９号公報
【発明の開示】
【発明が解決しようとする課題】
【０００４】
そこで、この発明は、デザイン性や使い勝手に優れ、例えば、液体の注入や持ち運びの際において安全に取り扱うことができる湯たんぽの提供を目的とする。
【課題を解決するための手段】
【０００５】
本発明は、上部に備えた注入口部から液体を注入し、内部の液体封入部に液体を封入する本体部と、該本体部の上部に着脱可能に備え、前記注入口部を略囲繞するカバー体とで構成した湯たんぽであって、上記カバー体と上記本体部とを、互いに嵌合する嵌合構造で構成し、上記本体部に、握持部を備えたことを特徴とする。
【０００６】
上記構成により、本体部の上部に備えた注入口部をカバー体により隠蔽するとができるため、デザイン性や使い勝手に優れた湯たんぽを構成することができる。  
したがって、若者や女性にも受け入れるようになり、より一層の湯たんぽの普及を図ることができる。
【０００７】
さらに、本発明の湯たんぽは、上記握持部を握持して持ち運ぶことができるため、例えば、本体部の上部に嵌着した状態で備えたカバー体を握持して湯たんぽを持ち運ぶことを未然に防止することができる。
【０００８】
さらに、例えば、握持部を握持することで、液体を注入口から注入する際に本体部ががたついたり、転倒することがなく保持しておくことができ、本体部に安定して液体を注入することができる。
【０００９】
この発明の態様として、該カバー体の内部に形成され、液体の注ぎ込みを許容する液受け部と、該液受け部の内部と外側とを連通可能に、上記液受け部に対して外側向きに筒形状に突出する筒状突出部とで漏斗構造で構成し、上記筒状突出部を、上記注入口部に挿着可能に形成するとともに、上記カバー体を上記本体部に装着したとき、上方向きで形成することができる。
【００１０】
上記構成により、カバー体を、漏斗として用いることで安全且つ容易に上記液体封入部に液体を注入することができる。
【００１１】
詳しくは、カバー体を、上記筒状突出部を上記注入口部に挿着した状態で本体部の上部に取付け、上記液受け部に液体を注ぎ込むことで、直接、注入口部に液体を注ぎ込む場合と比較して安全且つ容易に液体を注ぎ込むことができる。
【００１２】
さらに、例えば、一方の手で握持部を握持した状態であっても、他方の手で容易に液体を液体封入部に封入することができる。
【００１３】
またこの発明の態様として、上記本体部を、幅方向、及び、奥行き方向のうち少なくとも一方の方向の長さより、高さ方向の長さが長い縦長形状で形成することができる。
【００１４】
上述したような縦長形状で形成した上記本体部は、平坦な面に置いた状態であっても、重心が高くなるため、不安定になりがちである。しかし、上記握持部を握持することで、湯たんぽをしっかりと安定した状態に保つことができ、安全性を確保することができる。よって、上述したように縦長形状で形成した湯たんぽは、握持部を備えることによる効果をより一層、発揮することができる。
【００１５】
またこの発明の態様として、上記カバー体、又は／及び、上記本体部に、上記筒状突出部を上記注入口部に挿着したときの上記カバー体の上記本体部に対するがたつきを防止するがたつき防止手段を備えたことを特徴とする。
【００１６】
上記構成により、上記カバー体を漏斗として上記筒状突出部を上記注入口部に挿着して、上記本体部の上部に取り付けた状態で液体を上記液受け部に注ぎ込んでも、上記カバー体が上記本体部に対して、がたつくことを防止することができる。
【００１７】
よって、上記がたつき防止手段により、上記カバー体が上記本体部に対して安定した取り付け状態を保つことができるため、例えば、カバー体が本体部に対して、がたつくことで、液体を注入する際に、液体がこぼれることや、本体部に対して、カバー体が取り外れることを防ぐことができる。
【００１８】
上記がたつき防止手段は、例えば、上記筒状突出部を上記注入口部に挿着したとき、上記本体部、及び、上記カバー体における互いにの対向部分における少なくともいずれか一方から他方の側へ突出して上記カバー体を本体部に対して支持する支持突起部で形成することができる。或いは、上記がたつき防止手段は、例えば、上記筒状突出部を上記注入口部に挿着したとき、上記本体部と上記カバー体との間に介在させて、がたつきを防止する介在部材（スペーサ部材）で形成することができる。その他にも、上記がたつき防止手段は、カバー体が本体部に対して、がたつくことを防止できる手段であれば、上述した構成に限らず、他の手段で構成することができる。
【００１９】
この発明の態様として、上記がたつき防止手段を、上記筒状突出部と上記注入口部との対向部分の少なくとも一方に備え、対向する側に係合する注入口内側係合手段で形成することができる。
【００２０】
上述したように、上記筒状突出部を上記注入口部に挿着させたとき、上記筒状突出部と上記注入口部とが互いに対向する対向部分に、注入口内側係合手段を備えることにより、上記筒状突出部と上記注入口部とがしっかりと係合し、カバー体の本体部に対するがたつきを確実に防止することができる。
【００２１】
上記注入口内側係合手段は、例えば、凹形状、或いは、凸形状で形成することができ、また、カバー体の本体部に対するがたつきを防止できる形状であれば、上記筒状突出部を上記注入口部に挿着したとき、必ずしも常に、上記対向する側へ接触した状態で係合する形状に限定しない。
【００２２】
この発明の態様として、上記カバー体の上部に、上記注入口部を挿着可能に開口する被挿着部を形成し、上記筒状突出部を、上記被挿着部の内部から上方へ突出させた突出形状で形成し、上記がたつき防止手段を、上記被挿着許容部と上記注入口部との対向部分の少なくとも一方に備え、対向する側に係合する注入口外側係合手段で形成することができる。
【００２３】
上記構成により、上記筒状突出部を上記被挿着部に挿着させたとき、上記筒状突出部と上記被挿着部とが互いに対向し、該対向部分に注入口外側係合手段を備えることにより、上記筒状突出部と上記被挿着部とがしっかりと係合し、カバー体の本体部に対するがたつきをしっかりと防止することができる。
【００２４】
上記注入口外側係合手段は、例えば、凹形状、或いは、凸形状で形成することができ、また、カバー体の本体部に対するがたつきを防止できる形状であれば、上記筒状突出部を上記注入口部に挿着したとき、必ずしも常に、上記対向する側へ接触した状態で係合する形状に限定しない。
【００２５】
またこの発明の態様として、上記カバー体と上記本体部とを互いに嵌合状態に保持するカバー体保持手段を備え、上記カバー体保持手段を、上記注入口部を閉塞する注入口閉塞手段と、該注入口閉塞手段とともに上記カバー体を締結持する締結手段とで構成し、上記注入口閉塞手段を、上記注入口部に対して着脱可能に形成したキャップ本体部と、該キャップ本体部に対して上方へ突出して上記締結手段との締結を許容する締結許容部とで構成することができる。
【００２６】
上記カバー体保持手段により、上記カバー体を、上記注入口閉塞手段と上記締結手段とともに締結することができ、上記カバー体と上記本体部とを嵌着状態にしっかりと保持することができる。
【００２７】
この発明の態様として、上記カバー体を、上記筒状突出部の外周側に備えた第一カバー構成体と、上記液受け部と上記筒状突出部とを備えて形成した第二カバー構成体とで別部材に構成するとともに、上記第一カバー構成体と上記第二カバー構成体とが相互に嵌合する嵌合構造で構成することができる。
【００２８】
上記構成のように、カバー体を、第一カバー構成体と、第二カバー構成体とを別部材で構成した場合であっても、例えば、持ち運びの際、握持部を握持することにより、本体部とカバー体との嵌着状態に加え、上記第一カバー構成体と上記第二カバー構成体との嵌着状態が不測に解除される（嵌着が外れる）ことも防ぐことができるため、握持部を備えることによる効果をより一層、発揮することができる。
【００２９】
また、上記カバー体保持手段を備えた湯たんぽの場合には、該カバー体保持手段により、上記第一カバー構成体と上記第二カバー構成体とを嵌着状態に保持することができる。  
この発明の態様として、上記握持部を、上記本体部に対して着脱自在に構成することができる。
【００３０】
上記構成により、人体部位に押し当てて湯たんぽとして使用する際には、上記握持部を上記本体部に対して取り外せば、握持部が邪魔にならず快適に使用することができる。一方、持ち運びの際には、上記握持部を上記本体部に取り付ければ、握持部を握持して持ち運ぶことができるため、上述したように、本体部とカバー体との嵌着状態が不測に解除され、カバー体から分離した本体部が落下することなく安全、且つ、容易に持ち運ぶことができる。
【発明の効果】
【００３１】
本発明により、デザイン性や使い勝手に優れ、例えば、液体の注入や持ち運びの際において安全に取り扱うことができる湯たんぽを提供することができる。
【発明を実施するための最良の形態】
【００３２】
この発明の一実施形態を以下図面と共に説明する。  
図１は、漏斗付湯たんぽ１の斜視図を示し、図２は、漏斗付湯たんぽ１の正面図を示し、図３は、一部拡大して示した図２のＡ−Ａ線断面図を示し、図４は、図２のＢ−Ｂ線断面図を示し、図５は、漏斗付湯たんぽ１の奥行き方向略中央付近の横断面図による上部の分解説明図を示している。図６は、漏斗カバー３を注入口部２１に挿着した状態の漏斗付湯たんぽ１の上部における拡大断面図を示し、図７は、図６のＣ−Ｃ線断面図を示す。
【００３３】
漏斗付湯たんぽ１は、湯たんぽ本体２と、該湯たんぽ本体２の上部に取り外し可能に嵌合状態で取り付けられる漏斗カバー３と、漏斗カバー３と湯たんぽ本体２とを互いに嵌合状態に保持する漏斗カバー保持構造４とで構成している。そして、漏斗付湯たんぽ１は、全体として正面視縦長の略四角形であり、左右の幅方向（図２における左右方向）の長さ対して奥行き方向（図３における左右方向）の長さが短くなるよう扁平形状で形成している。
【００３４】
詳しくは、漏斗付湯たんぽ１は、奥行き方向と幅方向と高さ方向の長さの比を、約１：３：５で形成している。
【００３５】
さらに、漏斗付湯たんぽ１は、平面視したとき、図４に示すように、奥行き方向の長さに対して幅方向の長さが長い長方形状の幅方向両端を円弧状に形成するとともに、背面側の幅方向中央部を凹形状で形成している。
【００３６】
湯たんぽ本体２は、漏斗付湯たんぽ１と同じ平面形状で、漏斗付湯たんぽ１の高さの３／４程度の高さの中空形状であり、内部に封入部２４を形成している。
【００３７】
湯たんぽ本体２は、図１、及び、図２に示すように、正面視左側部分に握持部２２を形成している。上記握持部２２には、指を差込可能に奥行き方向に連通して形成した指差込孔２２ａを備え、該指差込孔２２ａに人先指、中指、薬指、小指を差し込んだ状態で、該指差込孔２２ａに対して左側部分を握持可能に形成している。  
なお、指差込孔２２ａの縁部には、上記握持部２２を握持したとき、手の甲側であって、人先指、中指、薬指、小指の各間に相当する部位から突出した３つの突起部２２ｂを備えている（図２参照）。
【００３８】
また、湯たんぽ本体２は、図３の一部拡大図、及び、図５に示すように、湯たんぽ本体の上面２ｕの中央に上方へ円筒状に突出した注入口部２１を備えている。
【００３９】
上記注入口部２１には、該注入口部２１を閉塞するキャップ２３を備え、注入口部２１とキャップ２３とは、図７に示すように、注入口部２１の外周に形成した雄ネジ部２１ａとキャップ２３の内周部に形成した雌ネジ部２３ａとで互いに螺合可能に形成している。  
なお、キャップ２３の上部内面と注入口部２１の上端部との間には、弾性体を円環状に形成した止水用パッキン２５を備えている。
【００４０】
さらにまた、湯たんぽ本体２の上面２ｕの外周端部には、図３、及び、図５に示すように、漏斗カバー３の肉厚分内側にくびれた括れ部分を備え、該括れ部分の縁部に有する突部２ａにより後述する漏斗カバー３の下端が嵌合可能に形成している。
【００４１】
また、上記漏斗カバー３は、図５に示すように、第一カバー構成体３１と、第二カバー構成体３２とで構成し、第一カバー構成体３１と第二カバー構成体３２とは、それぞれ一体成形により別部材で形成している。
【００４２】
上記第一カバー構成体３１は、液受け部３３の外周上端部に肉厚分だけ内側へくびれて形成した括れ部分を備え、漏斗カバー３は、上記第一カバー構成体３１の括れ部分の縁部に有する突部３１ａに、第二カバー構成体３２の下端部を嵌合することにより一体に構成している。
【００４３】
漏斗カバー３は、図５に示した状態から上下反転させた状態で図６に示すように、上記注入口部２１
に挿着して漏斗として用いることができる漏斗構造で構成している。
【００４４】
以下、漏斗カバー３の構成について、図６を用いて説明するが、漏斗カバー３を、上下反転させるに伴い、図６に示した３の上下方向は、図５における３の上下方向に対して上下逆方向として説明する。
【００４５】
漏斗カバー３は、該漏斗カバー３の内部に有した液受け部３３と、該液受け部３３の内部と外側とを連通可能に、上記液受け部に対して外側向きに筒形状に突出した筒状突出部３４とで構成している。
【００４６】
上記液受け部３３は、上方から液体の注ぎ込みを許容するよう上側が開口し、内部に外周側よりも中央側が深くなるよう傾斜した底面部３３ａを有する有底中空形状で形成している。
【００４７】
筒状突出部３４は、上記液受け部３３の底面部３３ａの中央の最深部３３ｂから上記注入口部２１に挿着可能形成に外側下方へ突出した形状で形成している。
【００４８】
さらに、上記筒状突出部３４は、該筒状突出部３４の外周部における、周方向を４等分配する各部位に、筒状突出部３４を注入口部２１に挿着させたとき、外側へ向けて突出して上記注入口部２１へ係合可能な第一係合突部３５を形成している（図６、及び、図７参照）。  
漏斗カバー３の下面中央には、筒状突出部３４を注入口部２１に挿着させたとき、上記注入口部２１を挿着可能に開口する穴形状の被挿着部３６を備えている（図６参照）。  
被挿着部３６の内周端部には、漏斗カバー３の下面から内側上方へと突出した突出片３６ａを備え、被挿着部３６は、筒状突出部３４を注入口部２１に挿着させたとき、突出片３６ａが注入口部２１の外周側に配されるよう径で開口している。
【００４９】
さらに、上記筒状突出部３４は、上記被挿着部３６の内部から外側へ突出させた突出形状で形成し、該筒状突出部３４の先端部と漏斗カバー３の下面とが略面一になる突出長さで突出している（図６参照）。
【００５０】
なお、上記液受け部３３、及び、上記筒状突出部３４は、上記第一カバー構成体３１に構成され、被挿着部３６は、第二カバー構成体３２に構成されている。
【００５１】
続いて、上記漏斗カバー保持構造４について図３、及び、図５を用いて説明する。上記漏斗カバー保持構造４は、注入口閉塞部材４１と締結部材４２とで構成している。  
上記注入口閉塞部材４１は、下部に上記キャップ２３を備え、上部に上記キャップ２３に対して同心円状に円筒状に突出した締結許容部４３を備えている。
【００５２】
締結許容部４３は、該締結許容部４３の内周部に上記締結部材４２と螺合可能な雌ネジ部４３ａを形成している。
【００５３】
上記締結部材４２は、締結許容部４３に差し込むとともに雌ネジ部４３ａと螺合する雄ネジ部４４ａが外周に形成された突出部４４と、該突出部に対して鍔状に突出した鍔状締結部４５とで構成している。
【００５４】
上述した構成の漏斗付湯たんぽ１を使用する場合、通常、封入部２４に冷水やお湯の液体を封入し、注入口部２１をキャップ２３でキャップし、その上から漏斗カバー３を嵌着した状態で例えば、腰や膝などの人体部位に当てて使用する。  
このとき、封入部２４にお湯等の熱い液体を封入すれば漏斗付湯たんぽ１によって温め効果を得ることができる。  
なお、封入部２４に冷水等の冷たい温度の液体を封入すれば漏斗付湯たんぽ１によって冷却効果を得ることもできる。  
さらに、上述した構成の漏斗付湯たんぽ１は、以下のような作用、効果を奏することができる。  
なお、以下の説明において漏斗付湯たんぽ１を人体の所定部位に当てて得ることのできる冷却効果或いは温め効果を温冷効果とする。
【００５５】
上記漏斗付湯たんぽ１は、湯たんぽ本体２の上部に漏斗カバー３を備えることで、湯たんぽ本体の上面２ｕから突出した注入口部２１を隠蔽した優れたデザインで構成することができる。
【００５６】
したがって、湯たんぽを、若者や女性など性別を問わず広い世代に亘って、より一層、普及させることができる。
【００５７】
さらに、湯たんぽ本体の上面２ｕから突出した注入口部２１を漏斗カバー３で覆うことで、人体部位に当てても邪魔にならず温冷効果を得ることができる。
【００５８】
さらにまた、上記漏斗付湯たんぽ１は、湯たんぽ本体２に握持部２２を備えているため、積極的に握持部２２を握持して持ち運ぶことができる。これにより、湯たんぽ本体２の上部に備えた漏斗カバー３を、無意識に把持して持ち運ぶことを防止することができる。
【００５９】
詳しくは、例えば、図１３（ａ），（ｂ）に示すように、カバー体１０３を本体部１０２の上部に取り外し可能に嵌着状態で備えて形成し、本体部１０２に握持部２２を備えていない湯たんぽ１００に着目すると、利用者は、このような湯たんぽ１００を持ち運ぶ際には、図１３（ａ）に示すように、握持部２２がないため、無意識にカバー体１０３を把持して持ち運ぶことがあったが、このような湯たんぽ１００は、本体部１０２の内部に封入した液体の質量などにより、本体部１０２とカバー体１０３との嵌合が不測に解除され、図１３（ｂ）に示すように、カバー体１０３に対して本体部１０２が落下するおそれがあった。
【００６０】
これに対して、上記漏斗付湯たんぽ１は、図８に示すように、握持部２２を握持して持ち上げることにより、このような事態が生じることがなく、漏斗付湯たんぽ１をしっかりと持ち運ぶことができる。  
なお、図８は、握持部２２を握持して上記漏斗付湯たんぽ１を持ち運ぶ様子を示す作用説明図である。
【００６１】
さらに、上記漏斗付湯たんぽ１には、上記漏斗カバー保持構造４を備え、締結部材４２の雄ネジ部４４ａを締結許容部４３の雌ネジ部４３ａに螺合させているため、締結部材４２と注入口閉塞部材４１とで漏斗カバー３を締結することができる（図３参照）。
【００６２】
したがって、漏斗カバー３を湯たんぽ本体２に嵌着状態に保持しておくことができ、仮に、漏斗カバー３を把持して漏斗付湯たんぽ１を持ち上げた場合でも、上述したように、漏斗カバー３と湯たんぽ本体２とが分離することや、第一カバー構成体３１と第二カバー構成体３２とが分離して落下することを物理的に規制することができる。
【００６３】
上記注入口閉塞部材４１は、下部に上記キャップ２３を備え、締結許容部４３は、キャップ２３に対して同心円状に突出して形成しているため、キャップ２３を注入口部２１へ取付けた後の螺合状態に関らず、キャップ２３に対する平面視位置を一定に保つことができる。
【００６４】
したがって、上記注入口閉塞部材４１は、締結許容部４３を筒状突出部３４に確実に差し込んだ状態で取り付けることができるとともに、上記締結部材４２を締結許容部４３に確実に挿着することができる。
【００６５】
また、上記漏斗付湯たんぽ１は、漏斗カバー３を、上記筒状突出部３４を上記注入口部２１に挿着した状態で湯たんぽ本体２の上部に取付け、上記液受け部３３に液体を注ぎ込むことで、細長い注入口部２１に液体を直接、注ぎ込む場合と比較して安全且つ容易に液体を注ぎ込むことができる。
【００６６】
さらに、上記漏斗付湯たんぽ１は、平坦な面に置いた状態であっても、縦長形状であるため、重心が高くなり、特に不安定になりがちであるが、上記握持部２２を握持することで、しっかりと立てた状態に保持することができる。
【００６７】
したがって、液体を注入口部２１から注入する際にも湯たんぽ本体２ががたついたり、転倒することがなく、湯たんぽ本体２を安定な状態に保ち該湯たんぽ本体２に液体を注入することができる。  
その際、図９に示すように、一方の手で握持部２２を握持した状態であっても、他方の手でやかんＰを把持し、液体を容易に液受け部３３に注ぎ込むことができる。  
なお、図９は、漏斗カバー３を漏斗として用いて湯たんぽ本体２に湯を注ぎ込む様子を示す作用説明図である。
【００６８】
しかも、上記漏斗付湯たんぽ１は、上記筒状突出部３４の外周部に、第一係合突部３５を備えているため、上記筒状突出部３４を上記注入口部２１に挿着させたとき、第一係合突部３５が注入口部２１の内周面にしっかりと係合することで（図７参照）、漏斗カバー３が湯たんぽ本体２に対してがたつくことを規制することができる。
【００６９】
このため、液受け部３３に注ぎ込んだ液体がこぼれることや、漏斗カバー３が湯たんぽ本体２から外れることを確実に防止することができ、安全性を確保することができる。
【００７０】
また、漏斗カバー３は、内部に液受け部３３を備え、該液受け部３３から外側へ突出した筒状突出部３４を備えた漏斗構造で構成し、さらに、筒状突出部３４の外周に被挿着部３６を備えた形態で構成しているが、このような形態の漏斗カバー３であっても、第一カバー構成体３１と第二カバー構成体３２とを、それぞれ別部材で成形した後、嵌合することで一体に構成することでき、例えば、複雑な金型を作成せずとも、容易に、且つ、低コストで製造することができる。
【００７１】
また、本発明の箱型荷台の防水構造は、上述した実施形態に限定せず、他の実施形態で構成することができる。  
例えば、漏斗付湯たんぽ１は、筒状突出部３４に第一係合突部３５を備えて形成したが、該第一係合突部３５とともに、或いは、該第一係合突部３５とは別に他の係合手段を備えて形成してもよい。
【００７２】
詳しくは、図１０に示すように、被挿着部３６の突出片３６ａにおける、注入口部２１と対向する側の面には、注入口部２１側へ突出した第二係合突部５５ａを形成し、注入口部２１の周方向における第二係合突部５５ａと対向する部位であって、雄ネジ部２１ａを形成していない部位には、第二係合凹部５５ｂを形成している。
【００７３】
第二係合凹部５５ｂは、その外側部分が半径方向内側へ窪んで上記第二係合突部５５ａの先端部と係合可能に形成している。さらに、内側部分は、筒状突出部３４と係合可能に突出した形態で形成している。  
なお、上記第一係合突部３５は、筒状突出部３４の外周面において互いに対向する各部位に形成している。
【００７４】
上記構成により、筒状突出部３４を注入口部２１に挿着したとき、注入口部２１は、該注入口部２１の半径方向の内側から第一係合突部３５が係合するとともに、半径方向外側から第二係合突部５５ａ，５５ｂが係合するため、漏斗カバー３が湯たんぽ本体２に対してがたつくことを確実に防ぐことができ、より一層、注入口部２１を注入する際の安全性を確保することができる。
【００７５】
また、図示しないが上記握持部２２は、上述したように、湯たんぽ本体２の正面視左側部分に形成するに限らず、正面視右側部分に形成してもよく、或いは、両側部分に形成してもよい。上記握持部２２は、湯たんぽ本体２から外側へ握持可能に突出した形態であってもよい。
【００７６】
このように上記握持部２２を湯たんぽ本体２から外側へ突出して形成すれば、より一層、握持部を握持し易くなり、しっかりと握持して持ち運ぶことができる。
【００７７】
さらに、握持部は、湯たんぽ本体２の奥行き方向に連通した上記指差込孔２２ａを備えて形成するに限らず、指差込孔２２ａに相当する部位を連通させずに形成してもよい。この構成の場合、握持部は、湯たんぽ本体２の指差込孔２２ａに相当する部位における、正面側、背面側のうち、少なくともいずれか一方の側を、指先で係合することで握持可能な凹形状、或いは、凸形状で形成することができる。
【００７８】
上記構成により、湯たんぽ本体２に握持部を形成しても、湯たんぽ本体２を優れた強度に保つことができる。
【００７９】
さらにまた、握持部は、湯たんぽ本体２の内部において封入部２４と連通した中空形状で形成するに限らず、例えば、湯たんぽ本体２を形成する合成樹脂材が内部に充填された充填構造で形成してもよい。
【００８０】
上記構成においても、湯たんぽ本体２を優れた強度に保つことができる。
【００８１】
さらに、図１１，図１２に示すように、漏斗付湯たんぽ１Ａは、上記握持部６１は、湯たんぽ本体６２に対して着脱可能に構成してもよい。  
なお、図１１、図１２は、いずれも漏斗付湯たんぽ本体６２に対して握持部６１を着脱自在に構成した漏斗付湯たんぽ１Ａの構成説明図を示し、詳しくは、図１１は、握持部６１を漏斗付湯たんぽ本体６２から分離した状態の漏斗付湯たんぽ６２の外観図を示し、図１２は、握持部６１を漏斗付湯たんぽ本体６２に取り付けた状態の漏斗付湯たんぽ１Ａの外観図を示す。
【００８２】
詳しくは、図１１に示すように、漏斗付湯たんぽ１Ａは、握持部２２を形成していない漏斗付湯たんぽ本体６２と、着脱用握持部材６３とで構成することができる。上記着脱用握持部材６３は、ホルダー部６４と、該ホルダー部６４に対して外側へ突出した握持部６１とで構成している。
【００８３】
上記ホルダー部６４は、記着脱用握持部材６３を漏斗付湯たんぽ本体６２に装着したとき、漏斗付湯たんぽ本体６２の下側から受ける有底筒状の受け部６５と、漏斗付湯たんぽ本体６２の外周を包持する環状の環状保持部６６と、上記受け部６５と環状保持部６６との間を上下に連結する連結部６７とで構成している。
【００８４】
上記構成により、漏斗付湯たんぽ１Ａを湯たんぽとして使用する場合には、図１１に示したように、漏斗付湯たんぽ本体６２に対して着脱用握持部材６３を取り外して用いることができる。  
このため、漏斗付湯たんぽ１Ａは、漏斗付湯たんぽ本体６２から外側へ突出した握持部６１が存在しないため、人体部位の例えば、腰などに押し当てたとき、該握持部６１が邪魔にならず、しっかりと温冷効果を得ることができるとともに、快適に使用することができる。
【００８５】
さらに、漏斗付湯たんぽ１Ａは、持ち運びの際には、図１２に示すように、湯たんぽ本体６２に着脱用握持部材６３を装着すれば、漏斗カバー３を握持することなく、握持部６１を握持した状態で容易に、且つ、安全に持ち運ぶことができる。
【００８６】
また、上述した実施形態と、この発明の構成との対応において、
漏斗付湯たんぽ１，１Ａは、湯たんぽに対応し、
以下同様に、
湯たんぽ本体２は、本体部に対応し、
湯たんぽ本体２に形成した突部２ａは、嵌合構造に対応し、
漏斗カバー３は、カバー体に対応し、
漏斗カバー保持構造４は、カバー体保持手段に対応し、
封入部２４は、液体封入部に対応し、
キャップ２３は、キャップ本体部に対応し、
第一係合突部３５は、注入口内側係合手段に対応し、
注入口閉塞部材４１は、注入口閉塞手段に対応し、
締結部材４２は、締結手段に対応し、
第二係合突部５５ａ、及び、第二係合凹部５５ｂは、注入口外側係合手段に対応するも、
この発明は、上述の実施形態の構成のみに限定されるものではなく、多くの実施の形態を得ることができる。
【図面の簡単な説明】
【００８７】
【図１】漏斗付湯たんぽの外観図。
【図２】漏斗付湯たんぽの正面図。
【図３】図２のＡ−Ａ線断面図。
【図４】図２のＢ−Ｂ線断面図。
【図５】漏斗付湯たんぽの奥行き方向略中央付近の横断面図による分解説明図。
【図６】漏斗付湯たんぽの構成説明図。
【図７】図６のＢ−Ｂ線断面図。
【図８】漏斗付湯たんぽの作用説明図。
【図９】漏斗付湯たんぽの作用説明図。
【図１０】他の実施形態における漏斗付湯たんぽの構成説明図。
【図１１】他の実施形態における漏斗付湯たんぽの構成説明図。
【図１２】他の実施形態における漏斗付湯たんぽの構成説明図。
【図１３】従来の湯たんぽの説明図。
【符号の説明】
【００８８】
１，１Ａ…漏斗付湯たんぽ
２…湯たんぽ本体
２ａ…突部
２ｕ…湯たんぽ本体の上面
３…漏斗カバー
４…漏斗カバー保持構造
２４…封入部
２２，６１…握持部
２１…注入口部
２３…キャップ
３１…第一カバー構成体
３１ａ…突部
３２…第二カバー構成体
３３…液受け部
３４…筒状突出部
３５…第一係合突部
３６…被挿着部
４１…注入口閉塞部材
４２…締結部材
４３…締結許容部
５５…第二係合突部
【図１】
2010017371.tif 000003
【図２】
2010017371.tif 000004
【図３】
2010017371.tif 000005
【図４】
2010017371.tif 000006
【図５】
2010017371.tif 000007
【図６】
2010017371.tif 000008
【図７】
2010017371.tif 000009
【図８】
2010017371.tif 000010
【図９】
2010017371.tif 000011
【図１０】
2010017371.tif 000012
【図１１】
2010017371.tif 000013
【図１２】
2010017371.tif 000014
【図１３】
2010017371.tif 000015